Podtech/llm-jp-corpus-v4-ja_patent huggingface dataset:
(57)【要約】      （修正有）【課題】香料を含浸させた厚紙等が肌に直接触れるのを防止でき、しかも十分な香りを得ることができる芳香品を提供する。【解決手段】紐９の袋１１から出ている部分を室内のフック等に掛けて、芳香品を吊り下げる。このように芳香部３は袋１１に入れられているので、手等が芳香部３に直接に触れてしまうのを防ぐことができ、肌にかなり強い香りが付いてしまうのを防止することが可能となる。一方、袋１１は微細なメッシュによって構成されているので、芳香部３から発せられた香気成分は袋１１の外へ放散し、十分な香りを得ることができる。また、袋１１は外部から内部が透視可能であるので、袋１１外から芳香部３の表裏面の絵柄、文字等の表示５を視認することができ、芳香品１は飾り物としても楽しむことができる。【選択図】図２
0003152620.tif 000002
【実用新案登録請求の範囲】
【請求項１】
香気成分を含み、この香気成分が徐々に放散する芳香部と、前記芳香部を収納する容器とから成る芳香品において、前記容器は微細なメッシュによって構成された袋であることを特徴とする芳香品。
【請求項２】
請求項１に記載した芳香品において、芳香部には絵柄、文字等の表示が記載されていることを特徴とする芳香品。
【請求項３】
請求項１または２に記載した芳香品において、袋は外部から内部が透視可能であることを特徴とする芳香品。
【考案の詳細な説明】
【技術分野】
【０００１】
本考案は室内や自動車内に備える芳香品に関するものである。
【背景技術】
【０００２】
芳香品には容器に液体やジェル状の芳香剤を入れたものなど種々のものがある。例えば特許文献１に示すような厚紙等に香料を含浸させたものが、簡易的で使い易く、使用する場所を選ばないことから、室内や自動車内に備えるものとして広く使用されている。特許文献１の自動車用芳香剤は、厚紙等に香料を含浸させたもので、この芳香剤をクリップによってエアコン吹き出し口のルーパーに取り付けて使用する。
【先行技術文献】
【特許文献】
【０００３】
【特許文献１】特開２０００−６２５１１号公報
【考案の概要】
【考案が解決しようとする課題】
【０００４】
しかしながら、香料を含浸させた厚紙等は肌に直接触れると、肌にかなり強い香りが付いてしまうという問題がある。これを防止しようとし数個の穴を有する容器に入れてしまうと、穴だけからしか香気成分が放散されず、十分な香りがしないという不都合がある。
それ故、本考案は、上記課題を解決するために為されたものであり、香料を含浸させた厚紙等が肌に直接触れるのを防止でき、しかも十分な香りを得ることができる芳香品を提供することを目的とする。
【課題を解決するための手段】
【０００５】
上記課題を解決するために、請求項１の考案は、香気成分を含み、この香気成分が徐々に放散する芳香部と、前記芳香部を収納する容器とから成る芳香品において、前記容器は微細なメッシュによって構成された袋であることを特徴とする芳香品である。
【０００６】
請求項２の考案は、請求項１に記載した芳香品において、芳香部には絵柄、文字等の表示が記載されていることを特徴とする芳香品である。
【０００７】
請求項３の考案は、請求項１または２に記載した芳香品において、袋は外部から内部が透視可能であることを特徴とする芳香品である。
【考案の効果】
【０００８】
本考案の芳香品は、香料を含浸させた厚紙等が肌に直接触れるのを防止でき、しかも十分な香りを得ることが可能である。
また、本考案の芳香品は、芳香部の表裏面の絵柄、文字等の表示を視認することができ、飾り物としても楽しむことができる。
【図面の簡単な説明】
【０００９】
【図１】本考案の芳香品の構成を示す斜視図である。
【図２】図１の芳香品を使用する状態における正面図である。
【図３】図１の芳香品の縦断面図である。
【考案を実施するための形態】
【００１０】
本考案の第１の実施の形態に係る芳香品１を図面にしたがって説明する。
芳香品１は芳香部３と、この芳香部３を収容する袋１１等によって構成されている。
芳香部３はハート型の厚紙に香料を含浸させてあり、香気成分が徐々に放散するようになっている。この香料は天然ハーブを主原料としており、害虫忌避効果を有するものである。
【００１１】
芳香部３の表裏面には絵柄、文字等の表示５が印刷されている。また芳香部３には小孔７が形成されており、この小孔７には紐９が通され、この紐９は両端部で結ばれていてループ状となっている。
【００１２】
符号１１は容器としての袋を示し、この袋１１はポリエステル系の素材から成り、微細なメッシュによって構成されている。袋１１は微細なメッシュによって構成されているので、外部から内部が透視可能である。
また、袋１１の上端部分にはリボン挿通部１３が形成されている。このリボン挿通部１３にはリボン１５が挿通され、リボン１５の両端部を引くと袋１１の上端部が絞られて、開口１７が絞られて閉じられるようになっている。
【００１３】
次に、この芳香品１の使用方法について説明する。
芳香部３は使用前においてはプラスチック製の袋（図示せず）に入れられ封入されているので、この袋を開封して芳香部３を袋から出す。
そして、図１に示すように開口１７から袋１１へ入れる。このとき紐９は開口１７から袋１１外へ出した状態にしておく。次いで、リボン１５の両端部を持って引っ張り、開口１７を閉じて、リボン１５を袋１１のリボン挿通部１３の外面に巻きつけてから、結び目が正面に来るように蝶結びにする。
【００１４】
紐９の袋１１から出ている部分を室内のフック等に掛けて、芳香品１を吊り下げる。このように芳香部３は袋１１に入れられているので、手等が芳香部３に直接に触れてしまうのを防ぐことができ、肌に強い香りが付いてしまうのを防止することが可能となる。一方、袋１１は微細なメッシュによって構成されているので、芳香部３から発せられた香気成分は袋１１の外へ放散し、十分な香りを得ることができる。
【００１５】
また、袋１１は外部から内部が透視可能であるので、袋１１外から芳香部３の表裏面の絵柄、文字等の表示５を視認することができ、芳香品１は飾り物としても楽しむことができる。
【００１６】
以上、本考案の実施の形態について詳述してきたが、具体的構成は、上記実施の形態に限られるものではなく、本考案の要旨を逸脱しない範囲における設計の変更、材質の変更などがあっても考案に含まれる。
例えば、芳香部３はハート型に限定されず円形等どのような形状でよく、また厚紙に限らず、不織布等に香料を含浸させたものであってもよい。
また、袋１１はポリエステル系の素材以外のプラスチックによって構成することも可能である。
【産業上の利用可能性】
【００１７】
本考案に係る芳香品は室内、自動車内等に備えて使用する芳香品の製造業に利用可能である。
【符号の説明】
【００１８】
１‥‥芳香品      ３‥‥芳香部      ５‥‥表示
７‥‥小孔        ９‥‥紐      １１‥‥袋
１３‥‥リボン挿通部      １５‥‥リボン
１７‥‥（袋の）開口
【図１】
0003152620.tif 000003
【図２】
0003152620.tif 000004
【図３】
0003152620.tif 000005
(57)【要約】      （修正有） 【課題】身体バランスを改善し、健康促進に繋がる履物を提供する。【解決手段】爪先部ｃ、踵部ｄ及び胴部ｅからなり、インエッジ部ａとアウトエッジ部ｂを取り除いた形状であることを特徴とする。【選択図】図２
0003152658.tif 000002
【実用新案登録請求の範囲】
【請求項１】
爪先部と胴部と踵部からなる履物において、胴部の土踏まずの部分を切り取った健康履物。
【請求項２】
爪先部と踵部と踵部からなる履物において、胴部の土踏まずの部分と外踏を切り取った健康履物。
【考案の詳細な説明】
【技術分野】
【０００１】
本考案は、身体バランスの改善により、健康推進を図るべく、下半身の特に内側の土踏まずの部分である内側とその外踏（夫々インエッジとアウトエッジと呼ぶ）を排除する事で、より強くそこを意識する事が出来、臀部の筋肉が活発に使われ前方への歩行をよりスムーズにすることが出来る履物である。また、脚の各筋肉、特に脚の内側の筋肉に緊張を持たせ、姿勢も良くなり、足首が細くなるなど、シェイプアップ効果も得られる履物に関するものである。
【背景技術】
【０００２】
一般的に、健康と下半身、特に足とは深い関係があるとされている。そのため、色々な健康効果や、ダイエット効果のある履物が多くの人々に愛用されている。
【考案の概要】
【０００３】
履物の土踏まずの部分を欠く事で、より強くそこを意識し、ダイエットや健康促進に繋がる事が可能になった履物である。
【考案が解決しようとする課題】
【０００４】
アウトエッジで歩く感覚で歩くという歩行を意識してもらうためのツボ押しが付いているものや、突起が出ているものは色々と考案されているが、土踏まず部分の刺激になるものの、自らの姿勢を意識するところまでは結びつかないのが現状である。
【課題を解決するための手段】
【０００５】
外踏みであるアウトエッジ感覚を強く意識する為に敢えて、インエッジ、つまり土踏まずの部分を取り除く形状を取る。まず、インエッジのみを通常よりも1から2cm切り欠く形状に加工する。そうすると、切り欠いた部分が多くなり、踵の着地部が従来の履物より小さくなる。その為、踵を少し持ち上げた状態になりやすく、従来の踵の大きな履物に比べて、緊張を保ちやすくなる。
さらに、アウトエッジ（外縁部）を切り欠くことにより、脚の内側の筋肉を刺激し、より健康な姿勢を保つことが出来る。
【考案の効果】
【０００６】
１）インエッジが取り除かれた事で、よりアウトエッジ重視の感覚で歩く事が身につく。更に、その事で通常より股関節を意識した歩行が可能となり、臀部の筋肉をより使いやすくなり、ヒップアップにつながる。
２）臀部の筋肉は、筋膜を介して背中の筋肉ともつながっているので、背筋がより使われ、カロリー消費につながる。
３）履きやすい靴が多い中、足筋や臀部も下がり気味になり、その状態で固まると見た目にもだらしなく、猫背になって歩いている人が多い。それゆえ、この履物を活用する事で、美脚美人を意識しながら、常に足筋に緊張を持たせる事が可能になる。
【図面の簡単な説明】
【０００７】
【図１】本考案の履物１（土踏まずの部分が切り欠いている状態）
【図２】本考案の履物2（インエッジとアウトエッジを切り欠いている状態）
【考案を実施するための形態】
【０００８】
本考案を、実施例を図１と図２に示す。通常の履物は、爪先部ｃ、爪先部ｃと踵部ｅを繋ぐ略長方形上の胴部ｅ、踵部ｄからなる。図１は、通常の履物の胴部ｅのインエッジ部ａ、つまり土踏まずの部分を通常よりも1から2cmの幅で、なだらかな半円形状に切り欠く形状に加工した履物である。
図２は、通常の履物の胴部ｅのインエッジ部ａ、つまり土踏まずの部分を通常よりも1から2cmの幅で、なだらかな半円形状に切り欠く形状に加工し、且つ、アウトエッジ部ａである外踏を0.5から１cm幅で、なだらかな半円形状に切り取り、しゃもじの柄のような形状の履物を示す。
【産業上の利用可能性】
【０００９】
健康効果や、ダイエット効果のあるスリッパ、草履などの履物を提供する。
【符号の説明】
【００１０】
ａ    インエッジ部（土踏まず部）
ｂ    アウトエッジ部（外縁部）
ｃ：  爪先部
ｄ：  踵部
ｅ：  胴部
【図１】
0003152658.tif 000003
【図２】
0003152658.tif 000004
(57)【要約】【課題】建物内において場所を取らない仏壇を提供する。【解決手段】箱状体１の前面に開閉自在の扉３を設けてなる仏壇において、該箱状体１を建物における壁３１内に埋め込むと共に、該扉３を開閉自在に該壁３１から露出させたことを特徴とする仏壇。壁３１に箱状体１を収容する空間部３３を形成し、箱状体１における底板９の下面に鉄板３５をボルト等の固着具３７により固定し、該鉄板３５を釘等の固着具３９により壁３１の貫４１に固定することにより、箱状体１を建物における壁３１内に埋め込む。【選択図】図１
0003152841.tif 000002
【実用新案登録請求の範囲】
【請求項１】
箱状体の前面に開閉自在の扉を設けてなる仏壇において、
該箱状体を建物における壁内に埋め込むと共に、該扉を開閉自在に該壁から露出させたことを特徴とする仏壇。
【考案の詳細な説明】
【技術分野】
【０００１】
本考案は、仏壇に関するものであり、特に建物内における壁に埋め込んだ仏壇に係るものである。
【背景技術】
【０００２】
仏壇としては、例えば本出願人が提供した実用新案登録第３１００７６１号公報に示す如く、箱状体の前面に開閉自在の扉を設けてなるものが従来より知られている。
【先行技術文献】
【特許文献】
【０００３】
【特許文献１】実用新案登録第３１００７６１号公報
【考案の概要】
【考案が解決しようとする課題】
【０００４】
上記従来の仏壇は、これを部屋内に配設した場合には、かなりのスペースを占めるという問題がある。すなわち、仏壇専用の仏間を有する住宅の場合は別として、仏壇を他の目的にも使用する居間等に配設したときには、該仏壇が場所を取り、該居間等が使い難くなるという問題がある。
【０００５】
本考案は、上記従来の仏壇におけるこのような問題を解決し、建物内において場所を取らない仏壇を提供しようとしてなされたものである。
【課題を解決するための手段】
【０００６】
上記課題を解決するために、本考案は、下記の仏壇を提供する。
【０００７】
箱状体の前面に開閉自在の扉を設けてなる仏壇において、
該箱状体を建物における壁内に埋め込むと共に、該扉を開閉自在に該壁から露出させたことを特徴とする仏壇。
【考案の効果】
【０００８】
本考案によれば、仏壇における箱状体は建物における壁内に埋め込まれているため、該仏壇は建物内のフロアスペースを全く占有しない。しかも、仏壇前面の扉は開閉自在に該壁から露出しているため、仏壇の使用には全く支障がない。また、仏壇の扉を閉じておけば、該仏壇は壁中に埋没した状態となり、建物はあたかも仏壇が存在しないかの如き外観を呈する。
【図面の簡単な説明】
【０００９】
【図１】図１は、本考案による仏壇の一例を示す断面図である。
【図２】図２は、同上仏壇の正面図である。
【考案を実施するための形態】
【００１０】
本考案による仏壇は、箱状体１の前面に開閉自在の扉３を設けてなる点においては、従来の仏壇と同様である。
【００１１】
箱状体１は、天板５、側板７、７、底板９、背板１１とよりなり、内部に棚板１３、１５等を備えている。符号１６に示すものは引き出しである。
【００１２】
扉３は、一例として、左右の各側板７、７の前縁にヒンジ（図示せず。）を介して開閉自在に取り付けられている。
【００１３】
図示の事例においては、天板５における中央部下面前部に扉支承体１７を取り付け、該扉支承体１７に永久磁石又は鉄片１９を備えさせ、各扉３、３の対応部に該永久磁石又は鉄片１９に吸着する永久磁石又は鉄片２１を備えさせている。
【００１４】
しかして、本考案においては、箱状体１を建物における壁３１内に埋め込むと共に、扉３、３を開閉自在に該壁３１から露出させる。
【００１５】
図１に示す事例においては、壁３１に箱状体１を収容する空間部３３を形成し、箱状体１における底板９の下面に鉄板３５をボルト等の固着具３７により固定し、該鉄板３５を釘等の固着具３９により壁３１の貫４１に固定することにより、箱状体１を建物における壁３１内に埋め込んでいる。符号４３に示すものは内壁材、符号４５に示すものは外壁材である。
【００１６】
扉３、３は、開閉自在に壁３１から露出している。扉３、３は、好ましくは、閉じたときに壁３１における内壁材４３の表面と略同一平面上に位置する。
【符号の説明】
【００１７】
１  箱状体
３  扉
５  天板
７  側板
９  底板
１１  背板
１３  棚板
１５  棚板
１６  引き出し
１７  扉支承体
１９  永久磁石又は鉄片
２１  永久磁石又は鉄片
３１  壁
３３  空間部
３５  鉄板
３７  固着具
３９  固着具
４１  貫
４３  内壁材
４５  外壁材
【図１】
0003152841.tif 000003
【図２】
0003152841.tif 000004
(57)【要約】      （修正有）【課題】片手で簡単に洋服をハンガーに取り付けることができるハンガーを提供する。【解決手段】ハンガー１は、発砲ウレタンまたは、ゴム材料で形成されており、表面部および裏面部表面は、山形をした凹凸４が形成させている。物干し竿に取り付けるための取り付け部に上端には、断面が五角形をする木製のパーツ５よりなり、その木製のパーツ５は、二本の溝５が形成されている。また、その木製のパーツ５とハンガー１とは、二本に紐２にて連結されている。【選択図】図１
0003152871.tif 000002
【実用新案登録請求の範囲】
【請求項１】
ハンガーは、発砲ウレタンまたは、ゴム材料で形成されており、そのハンガー表面部には、山形をした凹凸が形成されている。
物干し竿に取り付けるための取り付け部の上端には、断面が五角形をする木製のパーツよりなり、その木製のパーツは、二本の溝が形成されている。また、その木製のパーツとハンガーとは、二本の紐にて連結されていることを特徴とするハンガー。
【考案の詳細な説明】
【技術分野】
【０００１】本考案は、洋服を簡単に掛けることができるハンガーに関するものである。
【背景技術】
【０００２】従来のハンガーは、木製やプラスチック製で出来ており、洗濯物の洋服の袖にハンガーを通すときに、ハンガーの片側を通した後残りの片側を通す必要があり、洗濯直後に洋服が濡れている場合洋服が貼りつき合い、ハンガーに掛けにくいという問題点があった。
また、従来のハンガーのフックは、Ｕ字状の形状をしており、物干し竿からずれ易いという問題点があった。
【考案の開示】
【考案が解決しようとする課題】
【０００３】本考案は、上記問題点に鑑み、本考案にハンガーは、濡れた洋服であっても容易に取り付けることができるようにすることを目的とするものである。
【課題を解決するための手段】
【０００４】上述の如き従来の問題点を解決し、所期の目的を解決するための本考案の要旨とする構成は、衿受部と肩受部が、一体的に弾力性のあるプラスチックなどで出来ており、その衿受部と肩受部の表面には、三角形状の凹凸が形成されている。またフック部は、五角形の断面からなる木製のパーツを取り付けたに二本の紐から形成されている。
【考案の効果】本考案は以上の如く構成されるものであるから、洗濯後の洋服でも簡単に、本考案のハンガーに取り付けることができ、風などにより吹かれた場合、物干し竿に掛けたハンガーがずれることが無い。さらに、フック部が二本の紐からなるので、風によりハンガーは自由に回転するため、満遍なく日が当たり、洗濯物を効果的に乾かすことができる優れた効果を有する。
【考案を実施するための最良の形態】
【０００５】本発明の考案の形態に係るハンガーについて説明する。
【実施例】以下図面１，２を参照して説明する。例示のハンガー１は、袖受け部７と肩受け部８とからとなり、発砲ウレタンまたは、ゴム材料で形成されている。表面部および裏面部表面は、三角形状をした凹凸４が形成させている。物干し竿６に取り付けるための取り付け部１０の上端には、断面が五角形をする木製のパーツ５よりなり、その木製のパーツ５は、二本の溝５が形成されている。また、その木製のパーツ５とハンガー１とは、二本の紐２にて連結されている。
（図１）（図２）【０００６】このハンガーの取り付け部１０を物干し竿に取り付けるときは、木製のパーツ部材５を、物干し竿６の裏側から、上方へ回し、手前側から二本の紐２の間に潜らせて、その二本の紐２を木製のパーツ３の溝５にはめる。（図２）【０００７】また、洋服にそのハンガー１に取り付けるときは、図３に示すように片手でそのハンガーを屈曲させて、洋服の首の隙間からこのハンガーの状態で通して、手を離せば、簡単に取り付けることができる。（図３）
【産業上の利用可能性】洋服を取り付けるハンガーに関するものである。
【図面の簡単な説明】
【図１】「ハンガーを示した平面図である。」
【図２】「ハンガーを物干し竿に取り付けた図である。」
【図３】「ハンガーを曲げた状態の図である。」
【符号の説明】
１  ハンガー
２  二本の紐
３  木製のパーツ
４  山形形状をした凹凸部
５  溝
６  物干し竿
７  袖受け部
８  肩受け部
１０  取り付け部
【図１】
0003152871.tif 000003
【図２】
0003152871.tif 000004
【図３】
0003152871.tif 000005
【手続補正書】
【提出日】平成21年3月6日(2009.3.6)
【手続補正１】
【補正対象書類名】実用新案登録請求の範囲
【補正対象項目名】全文
【補正方法】変更
【補正の内容】
【実用新案登録請求の範囲】
【請求項１】
表面部が、三角形状の凹凸からなり、その材料は、発泡ウレタンまたはゴム材料で形成されたハンガー部と、
断面が五角形であり、二本の溝５が形成された木製のパーツと紐よりなる取付け部からなるハンガー。
【手続補正書】
【提出日】平成21年5月21日(2009.5.21)
【手続補正１】
【補正対象書類名】実用新案登録請求の範囲
【補正対象項目名】全文
【補正方法】変更
【補正の内容】
【実用新案登録請求の範囲】
【請求項１】
略くの字状のハンガーは、発砲ウレタンまたは、ゴム材料で形成されており、前記ハンガー表面部には、山形をした凹凸が形成されており、前記ハンガーの中央部には、二本の紐を介して、物干し竿に取り付けるための取り付け部が連結されており、
その取り付け部は、断面が五角形である木製のパーツを形成することを特徴とするハンガー。
【手続補正２】
【補正対象書類名】明細書
【補正対象項目名】０００５
【補正方法】変更
【補正の内容】
【０００５】
本発明の考案の形態に係るハンガーについて説明する。
【実施例】以下、図１，２を参照して説明する。例示のハンガー１は、袖受け部７と肩受け部８とからとなり、発砲ウレタンまたは、ゴム材料で形成されている。表面部および裏面部表面は、三角形状をした凹凸４が形成させている。
物干し竿６に取り付けるための取り付け部１０の上端には、断面が五角形をする木製のパーツ５よりなる。その木製のパーツ５の中央部には、図２に示すように、紐を引掛けるための、断面中央部の深さまで、二本の溝５が形成されている。また、その木製のパーツ５とハンガー１とは、二本の紐２にて連結されている。（図１）（図２）
(57)【要約】      （修正有）【課題】片手でシップ薬を自分の背中に貼り又この器具によりシップ薬を取り外しが出来るシップ薬の背中貼り器を提供する。【解決手段】羽子板状の部材５の両面を使いシップ薬が布面の場合マジックベルト（登録商標）６面を使い、反面にシップ薬がビニール製の場合はビニール製の細金をスプリングバネで固定してシップ薬を固定しそれを片手で持ち体に張り、シップ薬が体に密着固定した後先端のバネスプリングをゆるめ体より外す。又、体に貼ったシップ薬を外す際は、上部に装着した猫手１で取り外す構成とする。【選択図】図１
0003152872.tif 000002
【実用新案登録請求の範囲】
【請求項１】
肩こり、腰痛、捻挫や体の痛み等に使用する  シップ薬  を体に張る器具、手足にシップ薬を張る場合は容易に張れるが、背中に張る事は非常に難しくそれを解決するため考案しました
【考案の詳細な説明】
【技術分野】
【０００１】    本考案は、片手でシップ薬を自分の背中に貼り又この器具によりシップ薬を取り外しが出来る様、考案した
【背景技術】
【０００２】      シップ薬を貼る場合、他人に頼む事無く自分で貼れ又、取り外しが出来る
【考案の開示】
【考案が解決しようとする課題】
【０００３】      この器具は両面をＡ面Ｂ面として、シップ薬の種類には薬材を塗る器材には、布製とビニール製があり両方使用出来る様に制作した
【課題を解決するための手段】
【０００４】      シップ薬が布製の場合はマジックベルト（Ａ面）で装着出来るが、ビニール製の場    合は（Ｂ面）装着出来無いためシップ薬の上部だけ挟み背中に貼り使用する、又シッ    プ薬をはがす為、上部のにぎり部位に猫手をで取り付けそれではがす
【考案の効果】
【０００５】        考案の利点は軽くて簡単に片手でシップ薬をはり又はがせる
【考案の実施するための最良の形態】
【０００６】        シップ薬貼り器具は軽く片手で使用出来る、又シップ薬を外す際猫手を使用して      取り外す事が出来る
【実施例】
【０００７】        両面（Ａ面Ｂ面）を使いシップ薬が布面の場合マジックベルト面を使い、反面にシップ薬がビニール製の場合はビニール製の細金をスプリングバネで固定してシップ薬を固定しそれを片手で持ち体に張りシップ薬が体に密着固定した後先端のバネスプリングをゆるめ体より外す又、体に貼ったシップ薬を外す際、上部に装着した猫手で取り外す
【図面の簡単な説明】
【０００８】
【図１】シップ薬貼り器具のマジックベルトのＡ面
【図２】シップ薬貼り器具のスプリング金具のＢ面
【符号の説明】
【０００９】      １  背中に貼ったシップ薬をはがす猫手
２  Ｂ面の細金をスプリングバネ
３  細金スプリングバネのジョイント
４  細金スプリングバネのスプリングバネ
５  シップ薬貼り器具の台
６  布製のシップ薬を貼るマジックベルト
【図１】
0003152872.tif 000003
【図２】
0003152872.tif 000004
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
羽子板状の台にそれぞれＡ面Ｂ面とし、Ａ面にはマジックベルトを装着しシップ薬が布製の場合用のマジックベルトを装着しシップ薬を背中に貼る、Ｂ面にはシップ薬が布製でなくビニール製の場合用に、スプリング付きの針金が設けられ前記台から伸びる握り用の部分に、シップ薬はがし器が設けられている、ここを特徴とするシップ薬の背中はり器
【手続補正書】
【提出日】平成21年5月25日(2009.5.25)
【手続補正１】
【補正対象書類名】実用新案登録請求の範囲
【補正対象項目名】全文
【補正方法】変更
【補正の内容】
【実用新案登録請求の範囲】
【請求項１】
平面の一端に把持部を備える羽子板状部材の面（Ａ面）の把持部側に取り付けられたマジックベルト（登録商標）と、上記平面部のマジックベルト（登録商標）と反対側の面（Ｂ面）の把持部側に設けられ、当該Ｂ面に平行な狭持部と上記把持部側の操作部と、把持部の側面に設けられたジョイントに対して回転自在に取り付ける取り付け部とを有する細金スプリングバネと、細金スプリングバネを上記狭持部が上記Ｂ面側に付勢される向きに付勢するスプリングバネと、上記把持部の上記平面部の反対側に設けられ、把持部から突出した突起部とを備えることを特徴とするシップ薬はり器
(57)【要約】      （修正有）【課題】種々のタイプの浴槽に、適用できるとともに、保温性に優れ、かつ、簡単に着脱できる、風呂ぶたを提供する。【解決手段】ユニットバスなどの浴槽メーカーの型式毎に湯船底面の形状を、その一面にプリントした発泡ウレタンアルミシートを製作する。使用に当たっては、使用する浴槽の型名を選択し、その形状に合わせて該発泡ウレタンアルミシートを切断する。浴槽に栓をして、先に切断した発泡ウレタンアルミシートを浴槽の底部に敷き、蛇口を回して浴槽にお湯を溜めると、発泡ウレタンアルミシートが浮き上がり、浴槽の蓋となる。これにより、湯面が空気層に接することなく蓋に密着するので、湯温の低下を抑制する事が出来る。【選択図】図１
0003152878.tif 000002
【実用新案登録請求の範囲】
【請求項１】
発泡ウレタンアルミシートの素材をもちいて５ｍｍ厚みの発泡ウレタンシートを仕用する。
【考案の詳細な説明】
【技術分野】
【０００１】本考案は、ふたを発泡ウレタンシートをおいて、温槽にお湯を入れると、発泡ウレタンシートが、上に浮く事で、お湯に密着する事でさめにくい事であります。
【背景技術】
【０００２】ユニットバス、家庭の湯船に仕用できる事で、どこの温槽に合せられる事です。仕用しない時は、ユニットバス、タイルカベに貼り付ける事でじゃまに、ならないです、一番の使かいかってのよい商品で、あってお湯の低下をおさえる事が出きます
カビもはえません、３年以上仕用しています。
【考案の詳細な説明】
【技術分野】
【０００１】本発明は、浴槽の湯温の低下をゆるめる発想した、考がえ方であります。
【考案の開示】
発明でかんたんに湯はりが出きて、さめにくい。
【０００２】浴槽にせんをして、発泡ウレタンシートを底にひくジャグチを廻して、浴槽にお湯をためると、おとしぶた見たいにお湯の一番上に、発泡ウレタンシートが、上がって来る事により、空気層がないため、湯温の低下をおさえる、はたらきがあります。
【考案を実施するための最良の形態】
【０００３】発泡ウレタンシートをメーカーさんの浴槽の形に線を入れて、あるので、だれにでも、はさみで自分の家の浴槽の形にきれます。
【図１】
0003152878.tif 000003
【手続補正書】
【提出日】平成21年5月21日(2009.5.21)
【手続補正１】
【補正対象書類名】実用新案登録請求の範囲
【補正対象項目名】全文
【補正方法】変更
【補正の内容】
【実用新案登録請求の範囲】
【請求項１】
発泡ウレタンアルミシートの素材をもちいて、５ｍｍ厚みの発泡ウレタンシートを仕用する、おとしぶた。
【手続補正２】
【補正対象書類名】明細書
【補正対象項目名】全文
【補正方法】変更
【補正の内容】
【考案の詳細な説明】
【技術分野】
【０００１】本考案は、ふたを発泡ウレタンシートをおいて、温槽にお湯を入れると発泡ウレタンシートが、上に浮く事で、お湯に密着する事でさめにくい事であります。
【背景技術】
【０００２】ユニットバス、家庭の湯船仕用できる事で、どこの湯槽似合わせられる事です。
仕用しない時は、ユニットバス、タイルカベに貼り付ける事でじゃまに、ならないです、一番の使い勝手のよい商品で、あってお湯の低下をおさえる事で出きますカビも生えません、３年以上仕用しています。
【考案の詳細な説明】
【技術分野】
【０００３】本発明は、浴槽の湯温の低下をゆるめる発想した、考がえ方であります。
【考案の開示】
発明でかんたんに湯はりができて、さめにくい。
【０００４】浴槽にせんをして、発泡ウレタンシートを底にひくジャグチを廻して、浴槽にお湯をためると、おとしぶたみたいにお湯の一番上に、発泡ウレタンシートが、上がって来る事により、空気層がないため、湯温の低下をおさえる、はたらきがあります。
【考案を実施するための最良の形態】
【０００５】発泡ウレタンシートをメーカーさんの浴槽の形に線を入れて、あるので、誰にでも、はさみで自分の家の浴槽の形にきれます。
【図面の簡単な説明】
【０００６】
【図１】この考案は、メーカーさんの浴槽の形の線を示すもので、大小の形を絵がいた曲線で、発泡ウレタンシートがお湯の力で、浮き上がってきた使用状態の断面図である．
【符号の説明】
【０００７】１発泡ウレタンシート
２浴槽
３ジャグチ
４栓
５メーカーさんの１８２４タイプの浴槽サイズの線
６メーカーさんの１６１８タイプの浴槽サイズの線
７メーカーさんの１６１４タイプの浴槽サイズの線
８メーカーさんの９０ｃｍ−９０ｃｍの浴槽サイズの線
(57)【要約】      （修正有）【課題】軽量で持ち運びに便利が良く、磯の上でも簡単に設置できるパラソルを提供する。【解決手段】ピトン棒を立てるパイプ１と、角度が変えられるワッシャ４を２枚と、これにパラソルを立てる、パイプ５を溶接しそれぞれチョウネジ６、ハンドル３で固定し、簡単にピトン棒１に差し込む事が出来る様に構成する。【選択図】図１
0003152876.tif 000002
【実用新案登録請求の範囲】
【請求項１】
パラソルを立てるステンレスのパイプと、このパイプに角度を変えられるワッシャ２枚が平行に溶接され、これにピトン棒を立てるステンレスのパイプとを備えた、パラソルたて。
【考案の詳細な説明】
【技術分野】
【０００１】本考案は、釣りをしている時、ピトン棒に簡単にパラソルを立てる事が、出来る様にしたものである。
【背景技術】
【０００２】従来は、ピトン棒にパラソルを立てられるものは無かった。
【考案の開示】
【考案が解決しようとする課題】
【０００３】従来は、市販のビーチパラソル立てを使用していたが、プラスチック製の入れ物の中に水を入れてオモリにしなければならないので、磯の上では、安定が悪く、持ち運びが重く使用が簡単ではなかった。
この考案は、簡単使用出来る様にする為になされたものである。
【課題を解決するための手段】
【０００４】ピトン棒を立てるパイプ１に、パラソルを立てるパイプ５と、この間にワッシャ４を２枚重ねたものを溶接し、パラソルを立てチョウネジ６で固定し、ピトン棒２に取り付け、ワッシャ４をチョウネジ８で移動してとめ、角度も変えられ、簡単に磯の上でもパラソルを立てる事を、特徴としたパラソル立て。
【考案の効果】
【０００５】軽量なので、持ち運びに便利が良く、簡単にパラソルが立てられる様になった。
【考案を実施するための最良の形態】
【０００６】本考案に係るパラソル立ては、図１に示す様に、ピトン棒を立てるステンレスのパイプ１と、角度が変えられるワッシャ４が２枚と、これにパラソルを立てるステンレスのパイプ５を溶接している。
これらを、ピトン棒１に差し込んで、それぞれチョウネジ６やハンドル３で固定する事が出来る様にする。
【図面の簡単な説明】
【０００７】
【図１】本考案に係るパラソル立てを、ピトン棒にさしこんだ状態の断面図である。
【図２】従来のパラソル立ての断面図である。
【符号の説明】
【０００８】１    ピトン棒を立てるパイプ
２    ピトン棒
３    ハンドル
４    ワッシャ
５    パラソルを立てるパイプ
６    チョウネジ
７    パラソル
８    チョウネジ
９    プラスチック製のパラソル立て
【図１】
0003152876.tif 000003
【図２】
0003152876.tif 000004
【手続補正書】
【提出日】平成21年5月26日(2009.5.26)
【手続補正１】
【補正対象書類名】実用新案登録請求の範囲
【補正対象項目名】全文
【補正方法】変更
【補正の内容】
【実用新案登録請求の範囲】
【請求項１】
パラソルを立てるステンレスのパイプと、このパイプに穴を３箇所あけたワッシャを溶接し、これにピトン棒を立てるステンレスのパイプと、このパイプにもう１枚の穴を３箇所あけたワッシャを溶接し、２枚のワッシャの内側の甲乙を合わし、チョウネジで取り付ける時に、２枚の３箇所の穴をお互いにずらして取り付けることにより角度が変えられる事を備えたパラソル立て。
(57)【要約】      （修正有）【課題】ドア錠装置における錠カバーに関し、いたずらを防止するために、ドアに取り付けられたドア錠装置の屋外側施錠操作部鍵穴を容易に被覆できる防犯用簡易カバーを提供する。【解決手段】ドアに取り付けられたドア錠装置本体１の屋外側施錠操作部鍵穴の全体を被覆するように、穴の空いたプレート２とリベット４で結合され回動可能なカバー３を、ドア錠装置本体１に、固定して装着できるように構成する。【選択図】図２
0003152877.tif 000002
【実用新案登録請求の範囲】
【請求項１】
ドア錠の屋外側施錠操作部全体を被覆し、少なくとも鍵穴の操作部分は鍵が操作可能となるように穴の空いたプレート２がドアに取り付けられており、プレート２の一部とリベット４などで結合された回動可能のカバー３を、取り付けたことを特徴とした防犯用簡易錠カバー。
【請求項２】
請求項１において、プレート２のドア錠への取り付け方は強力な粘着テープにて取付ることを特徴とした防犯用簡易錠カバー。
【請求項３】
請求項１、２において、穴の空いたプレート２とリベット４で結合された回動可能のカバー３は、任意形状であることを特徴とした防犯用簡易錠カバー。
【請求項４】
請求項１〜３において、回動可能のカバー３には容易に指がかかるように凸部又は穴を設けてあり片手で施錠、開錠の操作が可能となるようにしたことを特徴とした防犯用簡易錠カバー。
【請求項５】
請求項１ないし４において、回動可能のカバー３が動物の形状のレリーフであることを特徴とした防犯用簡易錠カバー。
【請求項６】
請求項１ないし５において、回動可能のカバー３に防犯用シールを貼ったことを特徴とした防犯用簡易カバー。
【請求項７】
請求項１、２、３，４において、回動可能のカバー３に後付にてレリーフの取付できることを特徴とした防犯用簡易錠カバー。
【考案の詳細な説明】
【技術分野】
【０００１】本考案は、防犯用簡易錠カバー、ドアに設置された鍵穴への異物挿入等によるいたずらを防止する防犯用簡易錠カバーに関するものである。
【背景技術】
【０００２】従来より、ドア錠装置における防犯用錠カバーは、着脱式のケースをドア錠装置に固定して装着するものが提案されている（例えば、特許文献１参照）。
【先行技術文献】
【特許文献】
【０００３】
【特許文献１】実用新案登録３１２５７９７号
【考案の概要】
【考案が解決しようとする課題】
【０００４】しかし、先行技術文献の方法では、着脱式のケースを取り外すという煩わしさがあり、片手で容易に施錠操作がし難く、複数錠がある場合は取り付け、取り外しが煩雑であるという問題がある。【０００５】本考案は、上記課題に鑑みてなされたものであり、その目的は、ドア錠装置における錠カバーに関し、いたずらを防止するために、ドアに取り付けられたドア錠装置本体の屋外側施錠操作部鍵穴を容易に被覆できる防犯用錠カバーを提供することにある。
【課題を解決するための手段】
【０００６】本考案の防犯用簡易錠カバーは、穴の空いたプレート２とリベット４で結合された回動可能のカバー３を、ドア錠装置本体１に接着又はその他の方法で固定することを特徴とする。【０００７】本考案の防犯用簡易錠カバーにおいて、ドア錠への取り付け方は強力な粘着テープにて取付ることを特徴とする。【０００８】本考案の防犯用簡易錠カバーにおいて、穴の空いたプレート２とリベット４で結合された回動可能のカバー３は、任意形状のプレートで形成されたことを特徴とする。【０００９】本考案の防犯用簡易錠カバーにおいて、回動可能のカバー３は容易に指がかかるように凸部又は穴があり片手で施錠、開錠の操作可能を特徴とする。【００１０】本考案の防犯用簡易錠カバーにおいて、穴の空いたプレート２と回動可能のカバー３に遊び心を持って動物の形状をレリーフしたプレートの取付を特徴とする。【００１１】本考案の防犯用簡易錠カバーにおいて、回動可能のカバー３に防犯用シールを貼り心理的な防犯効果を高めることを特徴とする。【００１２】本考案の防犯用簡易錠カバーにおいて、回動可能のカバー３に後付にてレリーフの取付が可能で高級感を演出できることを特徴とする。
【考案の効果】
【００１３】本考案によれば、煩わしい作業を必要とすることなく、ドア錠装置本体の屋外側施錠操作部鍵穴を容易に被覆して、いたずらを防止することが期待される。
【図面の簡単な説明】
【００１４】
【図１】本考案に於ける防犯用簡易錠カバーの平面概略図である。
【図２】本考案に於ける防犯用簡易錠カバーの斜視図である。  １は、錠本体、２は、穴のあるプレート、３は、鍵をカバーするカバー、４は、リベット
【考案を実施するための形態】
【００１５】以下、本考案の実施の形態について、図面を参照して説明する。
図２に示すように、本考案の防犯用簡易錠カバーは、ドアに取り付けられたドア錠装置本体１の屋外側施錠操作部鍵穴の全体を被覆するように、穴の空いたプレート２とリベット４で結合され回動可能のカバー３を、ドアに取り付けられた錠装置本体１に、固定することを特徴とした。
【実施例】
【００１６】一般住宅に於いては、玄関錠は通常２箇所あり操作性が重要視されるが、装着の容易さや片手でも簡単に操作できて使い勝手が良い。
【産業上の利用可能性】
【００１７】本考案は、既存のドア錠装置本体に容易に取り付け可能であり、粉塵の多い工場等のドア錠操作部鍵穴の保護に役立つものと思われる。【００１８】本考案は、金融機関のＡＴＭの鍵穴防犯、公共施設の鍵穴の防犯に役立つと思われる。
【図１】
0003152877.tif 000003
【図２】
0003152877.tif 000004
【手続補正書】
【提出日】平成21年5月21日(2009.5.21)
【手続補正１】
【補正対象書類名】実用新案登録請求の範囲
【補正対象項目名】全文
【補正方法】変更
【補正の内容】
【実用新案登録請求の範囲】
【請求項１】
ドア錠の屋外側施錠操作部全体を被覆し、少なくとも鍵穴の操作部分は鍵が操作可能となるように穴の空いたプレート２がドアに取り付けられており、プレート２の一部とリベット４などで結合された回動可能のカバー３を、取り付けたことを特徴とした防犯用簡易錠カバー。
【請求項２】
請求項１において、プレート２のドア錠への取り付け方は強力な粘着テープにて取付ることを特徴とした防犯用簡易錠カバー。
【請求項３】
請求項１又は２記載の防犯用簡易錠カバーにおいて、穴の空いたプレート２とリベット４で結合された回動可能のカバー３は、任意形状であることを特徴とした防犯用簡易錠カバー。
【請求項４】
請求項１〜３の何れか１項に記載の防犯用簡易錠カバーにおいて、回動可能のカバー３には容易に指がかかるように凸部又は穴を設けてあり片手で施錠、開錠の操作が可能となるようにしたことを特徴とした防犯用簡易錠カバー。
【請求項５】
請求項１ないし４の何れか１項に記載の防犯用簡易錠カバーおいて、回動可能のカバー３が動物の形状のレリーフであることを特徴とした防犯用簡易錠カバー。
【請求項６】
請求項１ないし５の何れか１項に記載の防犯用簡易錠カバーにおいて、回動可能のカバー３に防犯用シールを貼ったことを特徴とした防犯用簡易カバー。
【請求項７】
請求項１、２、３，４の何れか１項に記載の防犯用簡易錠カバーにおいて、回動可能のカバー３に後付にてレリーフの取付できることを特徴とした防犯用簡易錠カバー。
(57)【要約】      （修正有）【課題】太陽光・外気温を利用し、温度差が生じたものを集合・循環して、ボイラー・動力等の燃料費減とし、省資源、環境、温暖化防止に役立てる建材を提供する。【解決手段】ガラス・プラスチックの内外面に酸化チタン粉を加工し、複層空間となる様密閉して空間部に液体又は気体を入れ、太陽光・外気温を利用し液体又は気体の温度差変化を受けたものを回収・循環によりボイラー・動力等の燃料費減とし、省資源・環境・温暖化防止に役立てるものである。内外面に酸化チタン粉を付着加工すると触媒効果で、流体物での本体の汚れを防止でき又、外気と接する面の自然の汚れは雨水又は洗剤を使わない水洗で維持できる利点がある。本建材を横へ並べたり、上・下に複数連結することにより必要に応じ、内部量が確保でき有効活用が可能となる。また建物内の室温は外気温度を受けにくく、室内の温度が安定する。【選択図】図１
0003152881.tif 000002
【実用新案登録請求の範囲】
【請求項１】
複数層ガラスの内外面に酸化チタン粉を加工して、空間部を作る様に重ね、密閉し内部空間に液体又は気体を入れ集合・循環してボイラー・動力等の燃料費減とし、省資源、環境・温暖化防止に役立てるものである。
【請求項２】
複数層プラスチックの内外面に酸化チタン粉を加工して空間部を作るように重ね密閉し内部空間に液体又は気体を入れ集合・循環してボイラー・動力等の燃料費減とし省資源、環境・温暖化防止に役立てるものである。
【考案の詳細な説明】
【技術分野】
【０００１】  本考案は複層のガラス・又はプラスチックの内部及び外部に酸化チタン粉を加工したもので、空間を利用し、省エネに貢献しようとするものである。
【背景技術】
【０００２】  建物、構造物に於いて室内の圧迫感をなくす為、外部が見える様窓にガラス又はプラスチック張りをしていた。これを有効活用しようとするものである。
【考案の概要】
【０００３】  ガラス又はプラスチックの両面に酸化チタン粉を加工したものを空間がある様に複層にし、内部に水他液体又は空気他気体を入れ太陽光又は外気温を利用し、建造物の利用を含む維持管理の省資源に役立てようとするものである。
【考案が解決しようとする課題】
【０００４】  窓のガラス又はブラスチックは外部と遮断する為だけに使用されていた。このガラス又はプラスチックを複層にし、空間を設け中に水等液体を入れ太陽光等外気温度で上がった水を回収・集合してボイラーに入れる事により再加熱の燃料費を節約しようとするものである。また、室内はガラス又はプラスチックから直接熱を受けないので室温が安定し省エネルギーに役立つ。
ガラス又はプラスチックを三層にすることにより空間の二層を造り、一層目は液体、二層目は気体又は液体にすることにより有効活用が強化される。
【課題を解決する為の手段】
【０００５】  ガラス又はプラスチックを複層にし、水等液体を入れると液体の状況により汚れが発生し、その掃除ができない。その為、酸化チタン粉をガラス又はプラスチックの内面に付着加工することで、液体を入れても触媒効果により解消することができる。またガラス又はプラスチックの外面の汚れは美観も悪くなり熱効率も下がるので外面も酸化チタン粉を付着加工することで解決できる。
この加工手段は、ガラス又はプラスチックの板状に酸化チタン粉を付着加工したものを複層に仕上げる又は、複層にした後酸化チタン粉を加工する
【考案の効果】
【０００６】  ガラス又はプラスチックに酸化チタン粉の加工により、内外面の汚れが除去でき、水を通し中の温度が上昇したものを回収・集合し、ボイラーに入れるので燃料節約となる。又、建造物の外の汚れも触媒効果で雨水で取れ、窓の外側清掃にも役立つ。今迄外は洗剤清掃の後、水洗いしていた。美観と共に省資源に役立つ。又、複層活用により室内の温度も直接外気に左右されない為省エネルギーに役立つ。この様に、省エネ、環境・温暖化防止に役立つものである。
【図面の簡単な説明】
【０００７】
【図１】本考案の省エネ・ガラス又はプラスチックに酸化チタン粉加工の平面図である。
【図２】本考案の側面図である。
【考案を実施するための形態】
【０００８】  ガラス又はプラスチックの板状で密閉された一層、または二層の空間を作り、取出口からその中に水等液体又は空気等気体を入れ循環させることにより、太陽光等外気温度を利用したボイラーの燃料を節約し省資源に役立てようとするものである。又温暖化防止にも貢献する。
製品化の方法は板状の時、酸化チタン粉を本体表面に加工し、空間を保てる様四方を密閉し取出口を設ける。又は密閉された空間に取出口から酸化チタン粉を加工できるものを装入し、付着加工する。
製品化されたものを上下又は横へ連結し回収・集合したものをボイラーへ入れたり、循環させて活用する。
【実施例】
【０００９】  ビル建設の場合、洗面所、トイレ温水、厨房、冷暖房設備を設置するが、ボイラーで水を加熱し供給する。このとき熱源を大量に使用する考案品を使い熱源の補助役割をさせ利用すると省資源となり大気温暖化防止に役立つ。酸化チタン加工してあるので除菌、防臭の水となり本体の汚れ防止にも役立つ。【００１０】  工場での温水用として、コストダウンできる。又、冷却水で、井戸水等を使用する時、外気温が低い場合、考案品を使用することで、冷却装置の補助役割をする。【００１１】  温室用として考案品を使用し温水を溜め、循環させることで温室内の温度を維持することに役立つ。ボイラーの燃料補助として役立つ。又、複数層の為、夜間に本体の空間部の水を抜くと室温維持に役立つ。【００１２】  個建・マンションに於いて考案品を外面の壁・屋上に設置すれば温水活用できる。新建材として活用巾が広がる。
【符号の説明】
【００１３】１．ガラス、又はプラスチックで厚み、形状寸法は定めず
２．ガラス、又はプラスチックで厚み、形状寸法は定めず
３．ガラス、又はプラスチックの内面に酸化チタン粉加工
４．ガラス、又はプラスチックの外面に酸化チタン粉加工
５．空間
６．取出口で数、位置は定めず
７．１と２で空間５を作り四面を密閉する材質は特に定めず
【図１】
0003152881.tif 000003
【図２】
0003152881.tif 000004
【手続補正書】
【提出日】平成21年5月19日(2009.5.19)
【手続補正１】
【補正対象書類名】実用新案登録請求の範囲
【補正対象項目名】全文
【補正方法】変更
【補正の内容】
【実用新案登録請求の範囲】
【請求項１】
ガラス板の内外面に酸化チタン粉を付着加工して空間部を造るように重ね、密閉して内部空間に液体又は気体を入れ集合し、循環してボイラー・動力等の燃料費減とし、省資源・環境・温暖化防止に役立てることを特徴とする複数層ガラス建材。
【請求項２】
プラスチック板の内外面に酸化チタン粉を付着加工して空間部を造るように重ね、密閉して内部空間に液体又は気体を入れ集合し、循環してボイラー・動力等の燃料費減とし、省資源・環境・温暖化防止に役立てることを特徴とする複数層プラスチック建材。
(57)【要約】      （修正有）【課題】Ａ４サイズの回覧物を一般家庭の標準サイズのポストに挿入できる回覧ＢＯＸを提供する。【解決手段】Ａ４サイズの回覧物が納まり、一般家庭の標準サイズの郵便ポスト（投函口幅１５０〜２００ｍｍ×高さ３５〜４０ｍｍ）に挿入可能なサイズ（縦３１０ｍｍ×横１７０mm×奥行２５ｍｍ）であり、厚紙の曲げを５箇所設けたことにより、横１７０ｍｍを１４５ｍｍに縮めることができ、内部には回覧物用と回覧チェック用紙を挟み込むクリップとペン用ひも通し穴およびペン収納ポケットをつけた。【選択図】図２
0003152884.tif 000002
【実用新案登録請求の範囲】
【請求項１】
一般家庭の標準サイズのポストに挿入できる回覧ＢＯＸ
【請求項２】
回覧物用と回覧チェック用の２箇所にバインダーがついた回覧ＢＯＸ
【請求項３】
厚紙を折り曲げ、マジックテープで口を止め、厚みのあるの回覧ＢＯＸ
【請求項４】
ペン用のひも通しとホケットが付いた回覧ＢＯＸ
【考案の詳細な説明】
【技術分野】
【０００１】
一般家庭用回覧板に関するものである。
【背景技術】
【０００２】
（１）従来の回覧板はＡ４サイズの板またはＡ３サイズの板を中心で折り曲げＡ４サイズにしたものである。
（２）折り畳み式回覧板はある。登録実用新案第３０５１４３３号 
（３）三つ折の回覧板はある。  登録実用新案第３００７２１０号
【考案の概要】
【考案が解決しようとする課題】
【０００３】
（イ）そのために、次のような問題点があった。
上記（１）のようなＡ４サイズだと一般家庭の郵便ポスト開口よりも大きいので、ポストに挿入できなかった。
そのため、回覧板を持って行った時に留守だった場合、持って帰るか玄関外に置いて帰らなければならなかったので、二度手間だったり雨に濡れたりした。
（ロ）上記（２）のような小折り畳み式だと、厚みのある回覧物ははさみきれない場合があり、はさめた場合も折り目がつく。
（ハ）上記（３）のような構造のものを製作するには手間がかかる。
【課題を解決するための手段】
【０００４】
Ａ４サイズの回覧物を収納でき、且つ、一般家庭の郵便ポスト開口よりも小さいものとする。回覧物が折れ曲がらない。
【考案の効果】
【０００５】
回覧板を一般家庭の標準サイズのポストに挿入できる。  厚紙のみで構成されているのでコストがかからない。ＢＯＸ状にしたため、厚みのある回覧物も収納可能。回覧物がアール状に曲がるが、折れ曲がりがない。
【図面の簡単な説明】
【０００６】
【図１】一般家庭の郵便ポスト開口サイズを示した図である。
【図２】回覧ＢＯＸ製作する上の詳細を示した図である。
【考案を実施するための最良の形態】
【０００７】
以下、本考案の実施の形状について説明する。
（イ）厚紙を図２のサイズに折って作成
（ロ）回覧物用と回覧チェック用の２箇所にバインダーを取り付ける
（ハ）ＢＯＸの止め口にマジックテーブを取り付ける
（ニ）ペン用ひも通し穴とポケットを取り付ける
（ホ）表紙に団体名記入枠を印刷する
【図１】
0003152884.tif 000003
【図２】
0003152884.tif 000004
【手続補正書】
【提出日】平成21年6月12日(2009.6.12)
【手続補正１】
【補正対象書類名】明細書
【補正対象項目名】０００６
【補正方法】変更
【補正の内容】
【０００６】
【図１】一般家庭の郵便ポスト投函口サイズを示した図である
【図２】回覧ＢＯＸ製作する上の詳細を示した図である
【図３】厚紙の曲げ寸法を示した図である
【手続補正２】
【補正対象書類名】明細書
【補正対象項目名】０００７
【補正方法】変更
【補正の内容】
【０００７】
以下、本考案の実施の形状について説明する。
（イ）厚紙を図２のように折って作成
（ロ）回覧物用と回覧チェック用の２箇所にクリップを取り付ける
（ハ）ＢＯＸの止め口に面ファスナーを取り付ける
（ニ）ペン用ひも通し穴とポケットを取り付ける
（ホ）表紙に団体名記入枠を印刷する
（ヘ）厚紙の曲げを図３のように５箇所設ける
【手続補正３】
【補正対象書類名】実用新案登録請求の範囲
【補正対象項目名】全文
【補正方法】変更
【補正の内容】
【実用新案登録請求の範囲】
【請求項１】
Ａ４サイズの回覧物が納まり、一般家庭の標準サイズの郵便ポスト（投函口幅１５０〜２００ｍｍ×高さ３５〜４０ｍｍ）に挿入可能なサイズ（縦３１０ｍｍ×横１７０mm×奥行２５ｍｍ）であり、厚紙の曲げを５箇所設けたことにより、横１７０ｍｍを１４５ｍｍに縮めることができ、内部には回覧物用と回覧チェック用紙を挟み込むクリップとペン用ひも通し穴およびペン収納ポケットをつけた回覧ＢＯＸ
【手続補正４】
【補正対象書類名】図面
【補正対象項目名】全図
【補正方法】変更
【補正の内容】
【図１】
0003152884.tif 000005
【図２】
0003152884.tif 000006
【図３】
0003152884.tif 000007